(57)【要約】【課題】大型化を抑え、表示部に沿った指針移動が可能である指示計器を提供する。【解決手段】表示面１０ａに所定情報を表示する表示器１０と、表示面１０ａの周囲に設けられ表示部１１を有する表示板１２と、表示部１１に沿って表示板１２近傍に配置され複数の細線を撚り合わせたインナー１３ａと、このインナー１３ａの周囲に所定間隔を有して金属製の線状部材を螺旋状に巻いた螺旋部１３ｂからなる可撓性部材１３と、この可撓性部材１３をその長手方向を軸心として回転させる駆動装置１４と、可撓性部材１３に設けられ、可撓性部材１３の回転に伴い表示部１１に沿って移動する指針１５とを備える。【選択図】図３
2005134308.tif 000002
【特許請求の範囲】
【請求項１】
表示部を有する表示板と、前記表示部に沿って前記表示板近傍に配置される可撓性部材と、この可撓性部材をその長手方向を軸心として回転させる駆動装置と、前記可撓性部材に設けられ、前記可撓性部材の前記回転に伴い前記表示部に沿って移動する指針とを備えたことを特徴とする指示計器。
【請求項２】
表示面に所定情報を表示する表示器と、前記表示面の周囲に設けられ表示部を有する表示板と、前記表示部に沿って前記表示板近傍に配置される可撓性部材と、この可撓性部材をその長手方向を軸心として回転させる駆動装置と、前記可撓性部材に設けられ、前記可撓性部材の前記回転に伴い前記表示部に沿って移動する指針とを備えたことを特徴とする指示計器。
【請求項３】
前記可撓性部材は、所定間隔を有して線状部材を螺旋状に巻いた螺旋部からなり、前記指針は指示部と前記螺旋間に係合する係合部とを有していることを特徴とする請求項１または請求項２に記載の指示計器。
【請求項４】
前記可撓性部材は、インナーと、このインナーの周囲に所定間隔を有して線状部材を螺旋状に巻いた螺旋部からなり、前記指針は指示部と前記螺旋間に係合する係合部とを有していることを特徴とする請求項１または請求項２に記載の指示計器。
【請求項５】
前記螺旋部が合成樹脂あるいは合成ゴムからなることを特徴とする請求項３または請求項４に記載の指示計器。
【請求項６】
前記可撓性部材が回転した際の前記可撓性部材の揺動を抑制するガイド部材を前記可撓性部材に沿って設けたことを特徴とする請求項１から請求項５のいずれかに記載の指示計器。
【発明の詳細な説明】
【技術分野】
【０００１】
本発明は、表示部を有する表示板を備えた例えば車両用の指示計器に関し、特に表示部に沿った表示板近傍に配置した指針が表示部に沿って移動するように構成した指示計器に関する。
【背景技術】
【０００２】
従来、この種の指示計器として、例えば下記特許文献１に記載のものが知られている。この指示計器１は、中央領域に透視部を有し周囲に目盛り１０を備えた文字盤と、この文字盤の透視部に臨むＬＣＤ表示部９と、このＬＣＤ表示部９と文字盤との間に配置され外側にリングギア５を有する円形リング状の指針坦体２と、この指針坦体２に装着され目盛り１０上に延びる指針４と、リングギア５に係合する歯車６を有する指針駆動装置３とを備え、指針駆動装置３によって指針坦体２を回転駆動させて目盛り１０上に延びる指針４を移動させる構成である。
【特許文献１】特開２０００−１３１０９９号公報
【発明の開示】
【発明が解決しようとする課題】
【０００３】
しかしながら、上記特許文献１に記載の指示計器１では、特許文献１の図２および図１に示す様に、目盛り１０の無い箇所（図２に於ける下側）であっても指針坦体２が延びており、配置スペースを必要としていた。また、特許文献１の図３に示す様に、指針坦体１３を目盛り範囲に合わせた半円形状にしたとしても、指針坦体１３が回転するスペースは確保しなければならず、結局は配置スペースを必要とし、指示計器１の大型化を招いてしまうという問題がある。
【０００４】
また、指針坦体２が円形あるいは半円形のリングであるため、指針駆動装置３の回転によって移動する指針４の軌跡は円形状となってしまう。従って、非円形状の目盛り１０（表示部）配置（例えば楕円、あるいは直線と曲線との組み合わせ）とした場合、指針４先端と目盛り位置との距離が指針４の回動によって一定とならず、デザイン上見苦しいものがある。
【０００５】
本発明はこの様な点に鑑みなされたもので、大型化を抑え、表示部に沿った指針移動が可能である指示計器を提供することを目的とする。
【課題を解決するための手段】
【０００６】
本発明は前記目的を達成するため、表示部を有する表示板と、前記表示部に沿って前記表示板近傍に配置される可撓性部材と、この可撓性部材をその長手方向を軸心として回転させる駆動装置と、前記可撓性部材に設けられ、前記可撓性部材の前記回転に伴い前記表示部に沿って移動する指針とを備えたものである。
【０００７】
また、表示面に所定情報を表示する表示器と、前記表示面の周囲に設けられ表示部を有する表示板と、前記表示部に沿って前記表示板近傍に配置される可撓性部材と、この可撓性部材をその長手方向を軸心として回転させる駆動装置と、前記可撓性部材に設けられ、前記可撓性部材の前記回転に伴い前記表示部に沿って移動する指針とを備えたものである。
【０００８】
また、前記可撓性部材は、所定間隔を有して線状部材を螺旋状に巻いた螺旋部からなり、前記指針は指示部と前記螺旋間に係合する係合部とを有しているものである。
【０００９】
また、前記可撓性部材は、インナーと、このインナーの周囲に所定間隔を有して線状部材を螺旋状に巻いた螺旋部からなり、前記指針は指示部と前記螺旋間に係合する係合部とを有しているものである。
【００１０】
また、前記螺旋部が合成樹脂あるいは合成ゴムからなるものである。
【００１１】
また、前記可撓性部材が回転した際の前記可撓性部材の揺動を抑制するガイド部材を前記可撓性部材に沿って設けたものである。
【発明の効果】
【００１２】
大型化を抑え、表示部に沿った指針移動が可能である指示計器を得ることができる。
【発明を実施するための最良の形態】
【００１３】
本発明の指示計器を適用した車両の計器装置を実施形態として説明する。図１〜図６は第１実施形態を示すもので、図１は速度計１（指示計器），燃料計２Ｘ，温度計２Ｙを備えた計器装置の正面図であり、図２は計器装置の断面図（図１に於けるＡ−Ａ断面）である。図３は速度計１の正面図（但し、後述する押さえ部，指針抑えを除いた状態）であり、図４は速度計１の要部を示す断面図である。図５は可撓性部材上に指針を配置した状態を示す部分正面図である。図６は指針の裏面図である。
【００１４】
計器装置は速度計１，燃料計２Ｘ，温度計２Ｙと、これらが装着される硬質の回路基板３と、速度計１，燃料計２Ｘ，温度計２Ｙを囲むように配置されるケース部材４と、回路基板３の裏面側を覆うカバー５と、速度計１，燃料計２Ｘ，温度計２Ｙの前方側に配置され可視領域を定める開口部６を有する黒色の見返し部材７と、速度計１，燃料計２Ｘ，温度計２Ｙや見返し部材７の前方側を被う無色透明な被い部材８を備えている。
【００１５】
速度計１は、例えば液晶表示素子からなる表示パネルが枠体９内に組み込まれた表示器１０と、この表示器１０の表示面１０ａ周囲の前方側に配置され表示部１１を有する表示板１２と、この表示板１２の表示部１１に沿って表示板１２の周囲近傍に配置した可撓性部材１３と、可撓性部材１３の長手方向を軸心として可撓性部材１３を回転させるモータからなる駆動装置１４と、可撓性部材１３に設けられ、可撓性部材１３の回転に伴い表示部１１に沿って移動する指針１５とを備えている。なお、表示器１０の表示面１０ａに表示される情報は任意であるが、一例として走行距離情報、ナビゲーション情報、シフトポジション情報などが挙げられる。
【００１６】
表示板１２は、貫通穴１６を有する無色透明な略円環状の基板の表面側に、車両の速度を現す目盛，数字などの例えば白色の表示部１１と、この表示部１１を除いて例えば黒色の地部１７が印刷によって設けてある（図１および図３に於いては、表示部１１を黒色で、地部１７を無色で示す）。なお、白色の表示部１１は光を透過する様になっている。また、貫通穴１６は、表示器１０の表示面１０ａが視認可能であるように設けたものであるが、基板に貫通穴１６を設けず、無色透明なままとしておいても良い。この表示板１２の背後には略円環状の導光板１８が配置してある。
【００１７】
可撓性部材１３は、金属からなる複数の細線を撚り合わせたフレキシブルなインナー１３ａと、このインナー１３ａの周囲に所定間隔を有して、断面形状が矩形で金属製の線状部材を螺旋状に巻いた螺旋部１３ｂからなる。この可撓性部材１３はガイド部材１９に保持されている。なお、図３に於いて、二点鎖線部はインナー１３ａおよび螺旋部１３ｂであるが、その記載を省略してある。
【００１８】
ガイド部材１９は白色の合成樹脂からなり、可撓性部材１３を支える支え部２０と、この支え部２０上に立設された立ち上がり壁２１と、可撓性部材１３を配置した後に立ち上がり壁２１の先端側に固定され、可撓性部材１３の浮き上がりを防ぐ断面略コ字状の押さえ部２２からなる。立ち上がり壁２１を円弧状に設けることによって、可撓性部材１３が円弧状の表示部１１に沿って配置されるようになる。押さえ部２２の前面側には断面が半円形状の突出部２３が長手方向に沿って設けてある。２４はガイド部材１９と回路基板３間に設けられた壁部であり、支え部２０および立ち上がり壁２１と一体で、かつケース部材４と一体としてある。
【００１９】
また、可撓性部材１３と立ち上がり壁２１および押さえ部２２との間には僅かに隙間を設けてある。隙間を設けることによって、支え部２０，立ち上がり壁２１，押さえ部２２との間で可撓性部材１３が回転可能となっている。なお、本実施形態に於いては支え部２０，立ち上がり壁２１，壁部２４をケース部材４と一体としたが別体でも良い。また、押さえ部２２は立ち上がり壁２１と一体でも良い。その場合、可撓性部材１３は立ち上がり壁２１の先端側を押し開くようにして立ち上がり壁２１の間に挿入する。また、立ち上がり壁２１は可撓性部材１３の両側に連続的に設けたが、部分的（断続的）に設けても良い。
【００２０】
指針１５は、無色透明な合成樹脂からなり、可撓性部材１３および押さえ部２２上に配置される基部２５と、基部２５から押さえ部２２の側壁２６（側壁２６が設けられていない場合は、立ち上がり壁２１）に沿うように側壁２６（または立ち上がり壁２１）と僅かな隙間を有して形成されたガイド壁２７と、ガイド壁２７の下端側から表示板１２上に延び表示部１１を指し示す指示部２８と、可撓性部材１３の螺旋部１３ｂの螺旋間に係合する（配設される）係合部２９を有している。係合部２９の下端とインナー１３ａとは隙間を設けてあるが、係合部２９の下端はインナー１３ａと中心を同じくする断面円弧状となっている。また、基部２５の前面側には半球状の突起３０が４個設けてある。また、指示部２８にはガイド壁２７側に形成された反射面３１と、裏面側にホットスタンプされた白色の箔３２を有している。
【００２１】
また、指針１５の基部２５前方側には指針抑え３３が設けてある。詳細は図示しないが、この指針抑え３３はビス止め，接着，フック止め等の適宜手段によってガイド部材１９である支え部２０に固定してある。この際、指針抑え３３と押さえ部２２との間で指針１５が前後方向に僅かに動くようにしてある（隙間を設けてある）。さらに、可撓性部材１３も前後方向に僅かに動くようにしてある。
【００２２】
導光板１８は無色透明な合成樹脂からなり、周縁がケース部材４と一体に設けられた壁部２４の段部３４に載置されている。
【００２３】
３５は表示板１２の表示部１１および指針１５の指示部２８を照明する光源としての発光ダイオードであり、指針１５の反射面３１と対向するように回路基板３上に配置してある。そして、夜間など周囲が暗い時に、例えば白色で発光する発光ダイオード３５を点灯させることにより、導光板１８を透過した光で表示板１２の表示部１１が白色で透過照明される。同時に、導光板１８内に導かれた光が出射面３６から出射されて指針１５の指示部２８内に入り、反射面３１で反射して指示部２８が白色で光輝されるようになっている。この発光ダイオード３５は、指針１５が移動した際も光が指示部２８内に入って反射面３１で反射するように、導光板１８の出射面３６に沿って回路基板３上にほぼ等間隔で複数個配置してある。
【００２４】
この様に構成された速度計１において、駆動装置１４を時計方向または反時計方向に回転させると、駆動装置１４の回転軸１４ａと連結されたインナー１３ａが回転する。すなわち、可撓性部材１３がその長手方向を軸心として時計方向または反時計方向に回転する。すると、可撓性部材１３の螺旋部１３ｂの螺旋間に係合している係合部２９を有する指針１５が、可撓性部材１３上で表示板１２の表示部１１に沿って移動する（図３に於いて、指針１５の指示部２８が０と１６０目盛との間を移動する）。本実施形態に於ける駆動装置１４はガイド部材１９である支え部２０に固定してある。
【００２５】
なお、前述した様に、押さえ部２２に突出部２３を設け、指針１５の基部２５に突起３０を設けたことによって、指針１５の基部２５と、押さえ部２２あるいは指針抑え３３とが部分的な接触となるため、指針１５が移動する際の摩擦抵抗が少なくて済む。また、指針１５が前後方向に動いたとしても、指針１５の係合部２９と可撓性部材１３のインナー１３ａとは接触しないようになっている。
【００２６】
燃料計２Ｘおよび温度計２Ｙはステッピングモータあるいは交差コイル式ムーブメントからなり回動軸３７を有する本体３８と、回動軸３７の先端側に固着される指示部材３９と、この指示部材３９の後方に配置され指示部材３９の動作に対応する目盛，数字などの指標部４０を有する指標板４１と、この指標板４１の背後に配置された無色透明な合成樹脂からなり受光部４２を有する導光部材４３を備えている。燃料計２Ｘと温度計２Ｙの指標板４１および導光部材４３は一体となっている。
【００２７】
この燃料計２Ｘおよび温度計２Ｙは、夜間など周囲が暗い時に、回路基板３に実装してある例えば燃料計２Ｘ用の発光ダイオード３５Ａを点灯させることにより、受光部４２から導光部材４３内に導かれた光で指示部材３９を光輝させる様にしてある。また、指標板４１の指標部４０は発光ダイオード３５Ａから受光部４２を経て導光部材４３内に導かれた光、あるいは発光ダイオード３５Ａから導光部材４３の裏面を直射した光によって透過照明される様になっている。
【００２８】
また、ケース部材４は遮光性のある白色の合成樹脂からなり、周壁４４と、燃料計２Ｘと温度計２Ｙの導光部材４３および指標板４１を支える前壁４５などを有している。また、前述した様にケース部材４は支え部２０，立ち上がり壁２１，壁部２４と一体となっている。
【００２９】
この様に、表示面１０ａに所定情報を表示する表示器１０と、表示面１０ａの周囲に設けられ表示部１１を有する表示板１２と、表示部１１に沿って表示板１２近傍に配置される可撓性部材１３と、この可撓性部材１３をその長手方向を軸心として回転させる駆動装置１４と、可撓性部材１３に設けられ、可撓性部材１３の回転に伴い表示部１１に沿って移動する指針１５とを備えたことにより、表示面１０ａの表示を指針１５で遮ることなく、表示面１０ａ周囲に設けられ表示板１２の表示部１１を指針１５で指し示すことができる。また、表示板１２の表示部１１に沿って指針１５を移動させる可撓性部材１３を少なくとも表示部１１範囲に対応する位置に配置すれば良い（表示部１１の無い箇所には配置する必要がない）ため、指示計器の大型化を抑えることが可能となる。あるいは、可撓性部材１３が配置されていないスペースを有効に活用することが可能となる。
【００３０】
また、可撓性部材１３が、複数の細線を撚り合わせたインナー１３ａと、このインナー１３ａの周囲に所定間隔を有して線状部材を螺旋状に巻いた螺旋部１３ｂからなり、螺旋間に係合する（配設される）係合部２９を指針１５に設けたことにより、指針１５の移動を単純に達成させる機能と、表示部１１に沿って配置させるために必要とする可撓性を有する機能とを備えた部材（可撓性部材１３）を容易に提供することができる。
【００３１】
また、支え部２０，立ち上がり壁２１，押さえ部２２からなるガイド部材１９を可撓性部材１３に沿って設けたことにより、可撓性部材１３が回転した際の可撓性部材１３の揺動を抑制して可撓性部材１３の回転をスムーズにさせ、それに伴う指針１５の移動（動き）を円滑にすることができる。
【００３２】
図７〜図９は、本発明の第２実施形態を示すもので、図７は速度計１（指示計器）を備えた計器装置の正面図であり、図８は計器装置の断面図（図７に於けるＢ−Ｂ断面）である。図９は速度計１の正面図（但し、後述する指針抑えを除いた状態）である。なお、前記第１実施形態と同一もしくは相当箇所には同一符号を付し、その詳細説明は省略する。
【００３３】
計器装置は速度計１と、車両の作動状態や異常発生などを表示する報知表示器としての例えばエンジンオイルインジケータ４６や燃料残量インジケータ４７と、硬質の回路基板３と、速度計１および報知表示器を囲むように配置されるケース部材４と、回路基板３の裏面側を覆うカバー５と、速度計１の可視領域を定める開口部６を有する黒色の見返し部材７と、速度計１や報知表示器などの前方側を被う無色透明な被い部材８を備えている。
【００３４】
速度計１は、表示部１１を有する表示板１２と、この表示板１２の表示部１１に沿って表示板１２の近傍に配置した可撓性部材１３と、可撓性部材１３の長手方向を軸心として可撓性部材１３を回転させるモータからなる駆動装置１４と、可撓性部材１３に設けられ、可撓性部材１３の回転に伴い表示部１１に沿って移動する指針１５とを備えている。
【００３５】
表示板１２は、無色透明な基板の表面側に、車両の速度を現す目盛，数字などの例えば白色の表示部１１と、この表示部１１を除いて例えば黒色の地部１７が印刷によって設けてある（図７および図９に於いては、表示部１１を黒色で、地部１７を無色で示す）。なお、白色の表示部１１は光を透過する様になっている。この表示板１２の表示部１１は、図７に示す様に直線部分（０〜３０目盛，７０〜１００目盛）と曲線部分（４０〜６０目盛）からなる。表示板１２はケース部材４に保持されている。
【００３６】
可撓性部材１３は、所定間隔を有して、断面形状が矩形で合成樹脂製の線状部材を螺旋状に巻いた螺旋部１３ｂからなる。この可撓性部材１３はガイド部材１９に保持されている。
【００３７】
ガイド部材１９は白色の合成樹脂からなり、可撓性部材１３を支える支え部２０と、この支え部２０上に立設された立ち上がり壁２１からなる。両立ち上がり壁２１の先端側の幅は螺旋部１３ｂの外径より僅かに小さく（幅狭）してある。幅狭とすることによって可撓性部材１３が立ち上がり壁２１から浮き上がって抜けてしまうことを防いでいる。本実施形態に於ける立ち上がり壁２１は表示部１１に沿って部分的（断続的）に設けてある。立ち上がり壁２１を表示部１１に沿って設けることにより、可撓性部材１３が表示部１１に沿って配置されるようになる。
【００３８】
２４はガイド部材１９と回路基板３間に設けられた壁部であり、支え部２０および立ち上がり壁２１と一体で、かつケース部材４と一体としてある。また、可撓性部材１３と立ち上がり壁２１との間には僅かに隙間を設けてある。隙間を設けることによって、支え部２０と立ち上がり壁２１との間で可撓性部材１３が回転可能となっている。なお、支え部２０，立ち上がり壁２１，壁部２４をケース部材４と一体としたが別体でも良い。
【００３９】
指針１５は、無色透明な合成樹脂からなり、可撓性部材１３および立ち上がり壁２１上に配置される基部２５と、基部２５から立ち上がり壁２１に沿うように僅かな隙間を有して形成されたガイド壁２７と、基部２５から表示板１２上に延び表示部１１を指し示す指示部２８と、可撓性部材１３の螺旋部１３ｂの螺旋間に係合する（配設される）係合部２９を有している。本実施形態に於いては前記第１実施形態に於けるインナー１３ａが無いため、係合部２９の下端は螺旋部１３ｂの中心位まで延びた状態となっている。また、前記第１実施形態と同様に基部２５の前面側には半球状の突起３０が４個設けてあり、指針１５の指示部２８には基部２５側に形成された反射面３１と、裏面側にホットスタンプされた白色の箔３２を有している。
【００４０】
また、指針１５の基部２５前方側には指針抑え３３が設けてある。この指針抑え３３はビス止め，接着，フック止め等の適宜手段によってガイド部材１９である支え部２０に固定してある。この際、指針抑え３３と立ち上がり壁２１との間で指針１５が前後方向に僅かに動くようにしてある（隙間を設けてある）。さらに、可撓性部材１３も前後方向に僅かに動くようにしてある。
【００４１】
３５は指針１５の指示部２８を照明する光源としての発光ダイオードであり、指針１５の反射面３１と対向するように回路基板３上に配置してある。そして、夜間など周囲が暗い時に、例えば赤色で発光する発光ダイオード３５を点灯させることにより、点灯光が指針１５の指示部２８内に入り、反射面３１で反射して指示部２８が赤色で光輝されるようになっている。この発光ダイオード３５は、指針１５が移動した際も光が指示部２８内に入って反射面３１で反射するように、回路基板３上にほぼ等間隔で複数個配置してある。なお、表示板１２の表示部１１は表示板１２の背後に配置された例えば白色で発光する発光ダイオード３５Ｃによって白色で透過照明される。
【００４２】
この様に構成された速度計１において、駆動装置１４を時計方向または反時計方向に回転させると、駆動装置１４の回転軸１４ａと連結された螺旋部１３ｂが回転する。すなわち、可撓性部材１３がその長手方向を軸心として時計方向または反時計方向に回転する。すると、可撓性部材１３の螺旋部１３ｂの螺旋間に係合している係合部２９を有する指針１５が表示板１３の表示部１３に沿って移動する（図９に於いて、指針１５の指示部２８が０〜１００間を移動する）。
【００４３】
エンジンオイルインジケータ４６および燃料残量インジケータ４７は、エンジンオイル表示部（報知表示部）４８および燃料残量表示部（報知表示部）４９と、これらの報知表示部４８，４９を背後から照明する報知表示部用光源としての発光ダイオード３５Ｄを備えている。エンジンオイル表示部４８および燃料残量表示部４９は、赤色の半透明部材に黒色のエンジンオイルマークや燃料マークを施したもので、見返し部材７と一体成形されている。
【００４４】
そして、各報知表示部４８，４９に対応した見返し部材７の裏面側には灯室５０を有している。この灯室５０はケース部材４と一体に隔壁５１を設けることによって形成されるものであり、回路基板３上に配置した報知表示部照明用光源としての発光ダイオード３５Ｄが灯室５０内に位置するようになっている。そして、エンジンオイルあるいは燃料の量が少なくなって例えば赤色で発光する発光ダイオード３５Ｄが点灯した際は、エンジンオイルマークや燃料マークを除いた部分が赤色で透過照明されて、エンジンオイルマークや燃料マークがシルエットとして表示されるようになっている。
【００４５】
この様に構成したことにより、表示板１２の表示部１１に沿って指針１５を移動させる可撓性部材１３を少なくとも表示部１１範囲に対応する位置に配置すれば良い（表示部１１の無い箇所には配置する必要がない）ため、指示計器の大型化を抑えることが可能となる。あるいは、可撓性部材１３が配置されていないスペースに、本実施形態の様に報知表示器を配置することができる。また、表示部１１が非円形であっても指針１５が表示部１１に沿って移動するため、指針１５の指示部２８と表示部１１との距離を一定とすることができ、デザイン的な見苦しさがない。
【００４６】
また、可撓性部材１３が線状部材を螺旋状に巻いた螺旋部１３ｂのみからなるため、可撓性を有し、かつ構造が単純な可撓性部材１３とすることができる。また、螺旋部１３ｂを合成樹脂としたことにより、軽量であり、腐食の心配もない。また、可撓性部材１３の回転をスムーズにさせ、それに伴う指針１５の移動（動き）を円滑にすることができる。
【００４７】
なお、前記第１実施形態および第２実施形態に於いて、螺旋部１３ｂを金属製あるいは合成樹脂製の線状部材としたが、これに限定するものではなく、合成樹脂，合成ゴムあるいは金属であっても良い。合成樹脂あるいは合成ゴムとすることにより、前述した様に、軽量であり腐食の心配もない。また、螺旋部１３ｂの断面を矩形としたが矩形に限らず任意である。
【００４８】
また、各実施形態に於いては、係合部２９を図６に示す様に断面が長方形の突き出しとしたが、基部２５の裏面側に球状あるいは円柱状の突き出しを１個あるいは２個設けて、これを螺旋間に係合する（配設する）ようにしても良い。こうすることによって、球状あるいは円柱状の係合部と螺旋部１３ｂとが点または線で接触するため、指針１５の動きがより円滑となる。また、可撓性部材１３の前方側（被い部材８側）から係合部２９を螺旋間に係合するように（配設）したが、可撓性部材１３の回転に伴って指針１５が移動可能であれば係合関係は任意である。
【００４９】
また、本発明を燃料計２Ｘおよび温度計２Ｙや報知表示器を備えた計器装置に適用した形態を示したが、速度計１のみを備えた計器装置であっても良い。また、速度計１を前述した様な構造としたが、例えば回転計や燃料計２Ｘあるいは温度計２Ｙであっても良い。また、液晶表示素子を用いた表示器１０としたが、これに限定するものではなく、例えば電界発光素子を用いた表示器や実施形態で述べたような指示部材３９を有する表示器（いわゆるアナログ式の表示器）であっても良い。
【図面の簡単な説明】
【００５０】
【図１】本発明を適用した第１実施形態を示す計器装置の正面図。
【図２】同実施形態を示す計器装置の断面図（図１に於けるＡ−Ａ断面）。
【図３】同実施形態を示す速度計の要部正面図。
【図４】同実施形態を示す速度計の要部断面図。
【図５】同実施形態の可撓性部材と指針の配置状態を示す部分正面図。
【図６】同実施形態を示す指針の裏面図。
【図７】本発明を適用した第２実施形態を示す計器装置の正面図。
【図８】同実施形態を示す計器装置の断面図（図７に於けるＢ−Ｂ断面）。
【図９】同実施形態を示す速度計の要部正面図。
【符号の説明】
【００５１】
１  速度計（指示計器）
１０  表示器
１１  表示部
１２  表示板
１３  可撓性部材
１３ａ  インナー
１３ｂ  螺旋部
１４  駆動装置
１５  指針
１９  ガイド部材
２８  指示部
２９  係合部
【図１】
2005134308.tif 000003
【図２】
2005134308.tif 000004
【図３】
2005134308.tif 000005
【図４】
2005134308.tif 000006
【図５】
2005134308.tif 000007
【図６】
2005134308.tif 000008
【図７】
2005134308.tif 000009
【図８】
2005134308.tif 000010
【図９】
2005134308.tif 000011